(57)【要約】【課題】  低コストで、クランキング時に高いトルクを発生することができる三相交流発電スタータ装置を提供する。【解決手段】  制御部30は、バッテリ141の電圧が発電スタータモータ70の三相コイルに直列に印加されるように、充電スイッチ123を通電状態に切り替え、かつ、ドライバ100の第二のスイッチング104-106のうち、充電スイッチ123が接続されていない相の一相分または二相分の第二のスイッチング素子を通電状態に切り替える第一の状態と、第二のスイッチング素子104-106を非通電状態に切り替えて、第一の状態において三相コイルに蓄えられた磁気エネルギを第一のスイッチング素子101-103と並列に設けられたダイオードおよび充電スイッチ123を通してSC140に蓄える第二の状態とを繰り返す。SC140に蓄電された電荷はエンジンEの始動制御に利用される。【選択図】  図3
2015192499.tif 000002
【特許請求の範囲】
【請求項１】
三相コイルを有し、エンジン(E)のクランキングと三相交流電力の発電を行う発電スタータモータ(70)と、
前記発電スタータモータが発電した電力によって充電されるバッテリ(141)と、
前記三相コイルと前記バッテリの正極の間の通電状態を切り替えるための三相分の第一のスイッチング素子(101-103)、および、前記三相コイルと前記バッテリの負極の間の通電状態を切り替えるための三相分の第二のスイッチング素子(104-106)を備えるドライバ(100)と、
前記ドライバを制御して、前記発電スタータモータを用いる始動制御および充電制御を行う制御部(30)とを有する三相交流発電スタータ装置において、
前記ドライバと前記バッテリの間に蓄電手段(140)と、
前記蓄電手段の負側端子と前記三相コイルの何れか一相のコイルの間に充電スイッチ(123)とを有し、前記制御部は、
前記バッテリの電圧が前記三相コイルに直列に印加されるように、前記充電スイッチが接続された相の前記第一のスイッチング素子を通電状態に切り替え、かつ、前記充電スイッチが接続されていない相の一相分または二相分の前記第二のスイッチング素子を通電状態に切り替える第一の状態と、
前記第一および第二のスイッチング素子を非通電状態に切り替え、前記充電スイッチを通電状態に切り替えて、前記第一の状態において前記三相コイルに蓄えられた磁気エネルギを前記第一または第二のスイッチング素子と並列に設けられたダイオード、および、前記充電スイッチを通して前記蓄電手段に蓄える第二の状態とを繰り返して、前記蓄電手段に前記バッテリの電圧よりも高い電圧で電荷を蓄える高電圧充電モードで動作し、
前記蓄積手段に蓄えた電荷を前記始動制御に利用する三相交流発電スタータ装置。
【請求項２】
三相コイルを有し、エンジン(E)のクランキングと三相交流電力の発電を行う発電スタータモータ(70)と、
前記発電スタータモータが発電した電力によって充電されるバッテリ(141)と、
前記三相コイルと前記バッテリの正極の間の通電状態を切り替えるための三相分の第一のスイッチング素子(101-103)、および、前記三相コイルと前記バッテリの負極の間の通電状態を切り替えるための三相分の第二のスイッチング素子(104-106)を備えるドライバ(100)と、
前記ドライバを制御して、前記発電スタータモータを用いる始動制御および充電制御を行う制御部(30)とを有する三相交流発電スタータ装置において、
前記ドライバと前記バッテリの間に蓄電手段(140)と、
前記蓄電手段と前記三相コイルの何れか一相のコイルの間に充電スイッチ(123)とを有し、前記制御部は、
前記バッテリの電圧が前記三相コイルに直列に印加されるように、前記充電スイッチを通電状態に切り替え、かつ、前記充電スイッチが接続されていない相の一相分または二相分の前記第二のスイッチング素子を通電状態に切り替える第一の状態と、
前記第二のスイッチング素子を非通電状態に切り替えて、前記第一の状態において前記三相コイルに蓄えられた磁気エネルギを前記第一のスイッチング素子と並列に設けられたダイオードおよび前記充電スイッチを通して前記蓄電手段に蓄える第二の状態とを繰り返して、前記蓄電手段に前記バッテリの電圧により電荷を蓄える電流制限充電モードで動作し、
前記蓄積手段に蓄えた電荷を前記始動制御に利用する三相交流発電スタータ装置。
【請求項３】
さらに、前記蓄電手段の負側端子の接続先を前記充電スイッチまたは前記バッテリの正極に切り替える切替手段(151、152)を有し、
前記始動制御において、前記制御部は、前記切替手段により前記蓄電手段と前記バッテリを直列接続する請求項1または請求項2に記載された三相交流発電スタータ装置。
【請求項４】
三相コイルを有し、エンジン(E)のクランキングと三相交流電力の発電を行う発電スタータモータ(70)と、
前記発電スタータモータが発電した電力によって充電されるバッテリ(141)と、
前記三相コイルと前記バッテリの正極の間の通電状態を切り替えるための三相分の第一のスイッチング素子(101-103)、および、前記三相コイルと前記バッテリの負極の間の通電状態を切り替えるための三相分の第二のスイッチング素子(104-106)を備えるドライバ(100)と、
前記ドライバを制御して、前記発電スタータモータを用いる始動制御および充電制御を行う制御部(30)とを有する三相交流発電スタータ装置において、
前記ドライバと前記バッテリの間に蓄電手段(140)と、
前記蓄電手段と前記三相コイルの何れか一相のコイルの間に充電ダイオード(124)とを有し、前記制御部は、
前記バッテリの電圧が前記三相コイルに直列に印加されるように、前記充電ダイオードが接続されていない相の前記第一のスイッチング素子を通電状態に切り替え、かつ、前記充電ダイオードが接続された相の一相分または二相分の前記第二のスイッチング素子を通電状態に切り替える第一の状態と、
前記第一および第二のスイッチング素子を非通電状態に切り替えて、前記第一の状態において前記三相コイルに蓄えられた磁気エネルギを前記第二のスイッチング素子と並列に設けられたダイオードおよび前記充電ダイオードを通して前記蓄電手段に蓄える第二の状態とを繰り返して、
前記蓄積手段に蓄えた電荷を前記始動制御に利用する三相交流発電スタータ装置。
【請求項５】
三相コイルを有し、エンジン(E)のクランキングと三相交流電力の発電を行う発電スタータモータ(70)と、
前記発電スタータモータが発電した電力によって充電されるバッテリ(141)と、
前記三相コイルと前記バッテリの正極の間の通電状態を切り替えるための三相分の第一のスイッチング素子(101-103)、および、前記三相コイルと前記バッテリの負極の間の通電状態を切り替えるための三相分の第二のスイッチング素子(104-106)を備えるドライバ(100)と、
前記ドライバを制御して、前記発電スタータモータを用いる始動制御および充電制御を行う制御部(30)とを有する三相交流発電スタータ装置において、
前記ドライバと前記バッテリの間に蓄電手段(140)と、
前記蓄電手段と前記三相コイルの何れか一相のコイルの間に充電ダイオード(124)とを有し、前記制御部は、
前記バッテリの電圧が前記三相コイルに直列に印加されるように、前記充電ダイオードが接続されていない相の一相分または二相分の前記第一のスイッチング素子を通電状態に切り替える第一の状態と、
前記第一のスイッチング素子を非通電状態に切り替えて、前記第一の状態において前記三相コイルに蓄えられた磁気エネルギを前記第二のスイッチング素子と並列に設けられたダイオードおよび前記充電ダイオードを通して前記蓄電手段に蓄える第二の状態とを繰り返して、
前記蓄積手段に蓄えた電荷を前記始動制御に利用する三相交流発電スタータ装置。
【請求項６】
前記制御部は、前記蓄積手段の電圧が所定電圧までは前記蓄電手段に前記バッテリの電圧により電荷を蓄える電流制限充電モードで動作し、前記蓄積手段の電圧が前記所定電圧を超えると前記蓄電手段に前記バッテリの電圧よりも高い電圧で電荷を蓄える高電圧充電モードで動作する請求項4または請求項5に記載された三相交流発電スタータ装置。
【請求項７】
さらに、前記蓄電手段の負側端子の接続先を前記充電ダイオードまたは前記バッテリの正極に切り替える切替手段(153、154)を有し、
前記始動制御において、前記制御部は、前記切替手段により前記蓄電手段と前記バッテリを直列接続する請求項6に記載された三相交流発電スタータ装置。
【請求項８】
前記第一の状態と前記第二の状態の繰り返しは前記エンジンの停止時に行われる請求項1から請求項7の何れか一項に記載された三相交流発電スタータ装置。
【請求項９】
さらに、人力によって前記発電スタータモータを回転可能なキックペダル(33)と、
前記バッテリの電力による前記制御部の駆動が不可能な場合、前記ドライバと前記蓄電手段の間および前記ドライバと前記バッテリの間を非通電状態とし、前記ドライバと前記制御部の間を通電状態にするバイパススイッチ(108)とを有する請求項1から請求項8の何れか一項に記載された三相交流発電スタータ装置。
【発明の詳細な説明】
【技術分野】
【０００１】
本発明は、車両用のバッテリを充電するための発電装置とスタータ装置を兼ねた三相交流発電スタータ装置に関する。
【背景技術】
【０００２】
車両のエンジンのクランキングを行うスタータモータとしての機能と、車両の走行中に発電し車両のバッテリを充電する機能を備えた三相交流発電スタータモータ（以下、ACGスタータモータ）が知られている（例えば、特許文献1）。
【０００３】
このようなACGスタータモータは、スムーズにエンジンを始動させるために、クランキング時に高トルクを発生させる必要があり、低コストで高トルクを発生させることができる装置が望まれている。
【先行技術文献】
【特許文献】
【０００４】
【特許文献１】特願2010-223135号公報
【発明の概要】
【発明が解決しようとする課題】
【０００５】
本発明は、低コストで、クランキング時に高いトルクを発生することができる三相交流発電スタータ装置を提供することを目的とする。
【課題を解決するための手段】
【０００６】
本発明は、前記の目的を達成する一手段として、以下の構成を備える。
【０００７】
請求項1の発明によれば、三相コイルを有し、エンジン(E)のクランキングと三相交流電力の発電を行う発電スタータモータ(70)と、前記発電スタータモータが発電した電力によって充電されるバッテリ(141)と、前記三相コイルと前記バッテリの正極の間の通電状態を切り替えるための三相分の第一のスイッチング素子(101-103)、および、前記三相コイルと前記バッテリの負極の間の通電状態を切り替えるための三相分の第二のスイッチング素子(104-106)を備えるドライバ(100)と、前記ドライバを制御して、前記発電スタータモータを用いる始動制御および充電制御を行う制御部(30)とを有する三相交流発電スタータ装置において、前記ドライバと前記バッテリの間に蓄電手段(140)と、前記蓄電手段の負側端子と前記三相コイルの何れか一相のコイルの間に充電スイッチ(123)とを有し、前記制御部は、前記バッテリの電圧が前記三相コイルに直列に印加されるように、前記充電スイッチが接続された相の前記第一のスイッチング素子を通電状態に切り替え、かつ、前記充電スイッチが接続されていない相の一相分または二相分の前記第二のスイッチング素子を通電状態に切り替える第一の状態と、前記第一および第二のスイッチング素子を非通電状態に切り替え、前記充電スイッチを通電状態に切り替えて、前記第一の状態において前記三相コイルに蓄えられた磁気エネルギを前記第一または第二のスイッチング素子と並列に設けられたダイオード、および、前記充電スイッチを通して前記蓄電手段に蓄える第二の状態とを繰り返して、前記蓄電手段に前記バッテリの電圧よりも高い電圧で電荷を蓄える高電圧充電モードで動作し、前記蓄積手段に蓄えた電荷を前記始動制御に利用する。
【０００８】
請求項2の発明によれば、三相コイルを有し、エンジン(E)のクランキングと三相交流電力の発電を行う発電スタータモータ(70)と、前記発電スタータモータが発電した電力によって充電されるバッテリ(141)と、前記三相コイルと前記バッテリの正極の間の通電状態を切り替えるための三相分の第一のスイッチング素子(101-103)、および、前記三相コイルと前記バッテリの負極の間の通電状態を切り替えるための三相分の第二のスイッチング素子(104-106)を備えるドライバ(100)と、前記ドライバを制御して、前記発電スタータモータを用いる始動制御および充電制御を行う制御部(30)とを有する三相交流発電スタータ装置において、前記ドライバと前記バッテリの間に蓄電手段(140)と、前記蓄電手段と前記三相コイルの何れか一相のコイルの間に充電スイッチ(123)とを有し、前記制御部は、前記バッテリの電圧が前記三相コイルに直列に印加されるように、前記充電スイッチを通電状態に切り替え、かつ、前記充電スイッチが接続されていない相の一相分または二相分の前記第二のスイッチング素子を通電状態に切り替える第一の状態と、前記第二のスイッチング素子を非通電状態に切り替えて、前記第一の状態において前記三相コイルに蓄えられた磁気エネルギを前記第一のスイッチング素子と並列に設けられたダイオード、および、前記充電スイッチを通して前記蓄電手段に蓄える第二の状態とを繰り返して、前記蓄電手段に前記バッテリの電圧により電荷を蓄える電流制限充電モードで動作し、前記蓄積手段に蓄えた電荷を前記始動制御に利用する。
【０００９】
請求項3の発明によれば、さらに、前記蓄電手段の負側端子の接続先を前記充電スイッチまたは前記バッテリの正極に切り替える切替手段(151、152)を有し、前記始動制御において、前記制御部は、前記切替手段により前記蓄電手段と前記バッテリを直列接続する。
【００１０】
請求項4の発明によれば、三相コイルを有し、エンジン(E)のクランキングと三相交流電力の発電を行う発電スタータモータ(70)と、前記発電スタータモータが発電した電力によって充電されるバッテリ(141)と、前記三相コイルと前記バッテリの正極の間の通電状態を切り替えるための三相分の第一のスイッチング素子(101-103)、および、前記三相コイルと前記バッテリの負極の間の通電状態を切り替えるための三相分の第二のスイッチング素子(104-106)を備えるドライバ(100)と、前記ドライバを制御して、前記発電スタータモータを用いる始動制御および充電制御を行う制御部(30)とを有する三相交流発電スタータ装置において、前記ドライバと前記バッテリの間に蓄電手段(140)と、前記蓄電手段と前記三相コイルの何れか一相のコイルの間に充電ダイオード(124)とを有し、前記制御部は、前記バッテリの電圧が前記三相コイルに直列に印加されるように、前記充電ダイオードが接続されていない相の前記第一のスイッチング素子を通電状態に切り替え、かつ、前記充電ダイオードが接続された相の一相分または二相分の前記第二のスイッチング素子を通電状態に切り替える第一の状態と、前記第一および第二のスイッチング素子を非通電状態に切り替えて、前記第一の状態において前記三相コイルに蓄えられた磁気エネルギを前記第二のスイッチング素子と並列に設けられたダイオード、および、前記充電ダイオードを通して前記蓄電手段に蓄える第二の状態とを繰り返して、前記蓄積手段に蓄えた電荷を前記始動制御に利用する。
【００１１】
請求項5の発明によれば、三相コイルを有し、エンジン(E)のクランキングと三相交流電力の発電を行う発電スタータモータ(70)と、前記発電スタータモータが発電した電力によって充電されるバッテリ(141)と、前記三相コイルと前記バッテリの正極の間の通電状態を切り替えるための三相分の第一のスイッチング素子(101-103)、および、前記三相コイルと前記バッテリの負極の間の通電状態を切り替えるための三相分の第二のスイッチング素子(104-106)を備えるドライバ(100)と、前記ドライバを制御して、前記発電スタータモータを用いる始動制御および充電制御を行う制御部(30)とを有する三相交流発電スタータ装置において、前記ドライバと前記バッテリの間に蓄電手段(140)と、前記蓄電手段と前記三相コイルの何れか一相のコイルの間に充電ダイオード(124)とを有し、前記制御部は、前記バッテリの電圧が前記三相コイルに直列に印加されるように、前記充電ダイオードが接続されていない相の一相分または二相分の前記第一のスイッチング素子を通電状態に切り替える第一の状態と、前記第一のスイッチング素子を非通電状態に切り替えて、前記第一の状態において前記三相コイルに蓄えられた磁気エネルギを前記第二のスイッチング素子と並列に設けられたダイオード、および、前記充電ダイオードを通して前記蓄電手段に蓄える第二の状態とを繰り返して、前記蓄積手段に蓄えた電荷を前記始動制御に利用する。
【００１２】
請求項6の発明によれば、前記制御部は、前記蓄積手段の電圧が所定電圧までは前記蓄電手段に前記バッテリの電圧により電荷を蓄える電流制限充電モードで動作し、前記蓄積手段の電圧が前記所定電圧を超えると前記蓄電手段に前記バッテリの電圧よりも高い電圧で電荷を蓄える高電圧充電モードで動作する。
【００１３】
請求項7の発明によれば、さらに、前記蓄電手段の負側端子の接続先を前記充電ダイオードまたは前記バッテリの正極に切り替える切替手段(153、154)を有し、前記始動制御において、前記制御部は、前記切替手段により前記蓄電手段と前記バッテリを直列接続する。
【００１４】
請求項8の発明によれば、前記第一の状態と前記第二の状態の繰り返しは前記エンジンの停止時に行われる。
【００１５】
請求項9の発明によれば、さらに、人力によって前記発電スタータモータを回転可能なキックペダル(33)と、前記バッテリの電力による前記制御部の駆動が不可能な場合、前記ドライバと前記蓄電手段の間および前記ドライバと前記バッテリの間を非通電状態とし、前記ドライバと前記制御部の間を通電状態にするバイパススイッチ(108)とを有する。
【発明の効果】
【００１６】
請求項1、4の発明によれば、発電スタータモータの三相のコイルを活用して、高電圧で始動制御を行うことができるので、低コストでクランキング時に高いトルクを発生させることができる。
【００１７】
請求項2、5の発明によれば、発電スタータモータの三相のコイルを活用して、高電圧で始動制御を行うことができるので、低コストでクランキング時に高いトルクを発生させることができるとともに、バッテリから蓄電手段に充電する場合（第一の状態）、蓄電手段と三相のコイルが直列に接続されるので、バッテリから蓄電手段への突入電流を小さくすることができる。
【００１８】
請求項3、7の発明によれば、バッテリ電圧よりも充分に高い電圧で発電スタータモータを駆動することができる。
【００１９】
請求項6の発明によれば、バッテリからの突入電流を抑えつつ、蓄電手段を高電圧に充電することができる。
【００２０】
請求項8の発明によれば、エンジンが停止している時間を有効に利用することができる。
【００２１】
請求項9の発明によれば、キックペダルの操作によって発電される電力が、充電が不充分なバッテリや蓄電手段に吸収されることなく、エンジンを効果的に始動することができる。
【図面の簡単な説明】
【００２２】
【図１】鞍乗型車両の一種であるスクータ型自動二輪車の側面図。
【図２】図1のA-A断面図。
【図３】実施例1のACGスタータモータの制御回路を示す回路図。
【図４】エンジンの始動時および再始動時に制御回路に流れる電流を示す図。
【図５】アイドリング中および走行時に制御回路に流れる電流を示す図。
【図６】エンジン始動前およびIS中に制御回路に流れる電流を示す図。
【図７】実施例2のACGスタータモータの制御回路と、エンジン始動前およびIS中に制御回路に流れる電流を示す図。
【図８】実施例3のACGスタータモータの制御回路を示す回路図。
【図９】エンジンEの始動時および再始動時に制御回路に流れる電流を示す図。
【図１０】アイドリング中および走行時に制御回路に流れる電流を示す図。
【図１１】エンジン始動前およびIS中に制御回路に流れる電流を示す図。
【図１２】実施例4のACGスタータモータの制御回路と、エンジン始動前およびIS中に制御回路に流れる電流を示す図。
【発明を実施するための形態】
【００２３】
以下、本発明にかかる実施例の三相交流発電スタータ装置を図面を参照して詳細に説明する。
【００２４】
［自動二輪車の構成］
図1は鞍乗型車両の一種であるスクータ型自動二輪車（以下、自動二輪車）の側面図である。なお、以下の説明において、自動二輪車の進行方向が前方であり、左右に一つずつ対称的に備わる機構や構成の参照符号には左を示す「L」、右を示す「R」を付す場合がある。
【００２５】
自動二輪車10の車体前部と車体後部は低床フロア部14を介して連結されている。車体フレームは、概ねダウンチューブ16とメインパイプ17から構成され、メインパイプ17の上方にはシート18が配置される。
【００２６】
操舵ハンドル21は、ヘッドパイプ15に軸支されて上方に延伸し、一方の下方側には、前輪WFを回転自在に軸支するフロントフォーク22が取り付けられている。ハンドル21の上部には、計器盤を兼ねたハンドルカバー23が取り付けられている。また、ヘッドパイプ15の前方には、エンジン始動制御機能および充電制御機能を備える電子制御ユニット(ECU)30が配設されている。また、図1には示さないが、操舵ハンドル21には、後述する第一および第二のスイッチ111、113を有するメインスイッチであるシリンダ錠とスタータスイッチ114が取り付けられている。
【００２７】
ダウンチューブ16の後端、かつ、メインパイプ17の立ち上がり部に突設されたブラケット25には、スイングユニット20のハンガーブラケット28がリンク部材26を介して揺動自在に支持されている。
【００２８】
スイングユニット20の前部には、例えば4サイクル単気筒のエンジンEが配設されている。エンジンEの後方には無段変速機31が配設され、減速機構19の出力軸には後輪WRが軸支されている。減速機構19の上端とメインパイプ17の屈曲部の間にはリヤショックユニット13が介装されている。スイングユニット20の上方には、エンジンEから延出した吸気管29に接続される燃料噴射装置のスロットルボディ32およびエアクリーナ24が配設されている。
【００２９】
●スイングユニット
図2は、図1のA-A断面図である。スイングユニット20は、車幅方向右側の右ケース75および車幅方向左側の左ケース76から構成されるクランクケース74を有する。クランク軸51は、クランクケース70に固定された軸受53、54により回転自在に支持されている。クランク軸51には、クランクピン52を介してコンロッド73が連結されている。
【００３０】
左ケース76は変速室ケースを兼ね、クランク軸51の左端部には、可動側プーリ半体60と固定側プーリ半体61とからなるベルト駆動プーリが取り付けられている。固定側プーリ半体61は、クランク軸51の左端部にナット77によって締結されている。また、可動側プーリ半体60は、クランク軸51にスプライン嵌合されて軸方向に摺動可能とされる。両プーリ半体60、61の間には、Vベルト62が巻き掛けられている。
【００３１】
可動側プーリ半体60の右側では、ランププレート57がクランク軸51に固定されている。ランププレート57の外周端部に取り付けられたスライドピース58は、可動側プーリ半体60の外周端で軸方向に形成されたランププレート摺動ボス部59に係合されている。また、ランププレート57の外周部には、径方向外側に向かうにつれて可動側プーリ半体60寄りに傾斜するテーパ面が形成されており、このテーパ面と可動側プーリ半体60との間に複数のウェイトローラ63が収容されている。
【００３２】
クランク軸51の回転速度が増加すると、遠心力によってウェイトローラ63が径方向外側に移動する。これにより、可動側プーリ半体60が図示左方に移動して固定側プーリ半体61に接近し、その結果、両プーリ半体60、61間に挟まれたVベルト62が径方向外側に移動してその巻き掛け径が大きくなる。
【００３３】
スイングユニット20の後方側には、両プーリ半体60、61に対応してVベルト62の巻き掛け径が可変する被動プーリ（不図示）が設けられている。エンジンEの駆動力は、上記ベルト伝達機構によって自動調整され、図示しない遠心クラッチおよび減速機構19（図1参照）を介して後輪WRに伝達される。
【００３４】
右ケース75の内部には、ACGスタータモータ70が配設されている。ACGスタータモータ70は、クランク軸51の先端テーパ部に取付ボルト81によって固定されたアウタロータ（回転子）71と、アウタロータ71の内側に配設されて右ケース75に取付ボルト82によって固定されたステータ（固定子）72から構成される。アウタロータ71に対して取付ボルト67によって固定される送風ファン65の図示右方側には、ラジエータ68および複数のスリットが形成されたカバー部材69が取り付けられている。
【００３５】
クランク軸51には、ACGスタータモータ70と軸受54の間に、図示しないカムシャフトを駆動するカムチェーンが巻き掛けられるスプロケット55が固定されている。また、スプロケット55は、エンジンオイルを循環させるオイルポンプ（不図示）に動力を伝達するギヤ56と一体的に形成されている。
【００３６】
また、ACGスタータモータ70のアウタロータ71は、図1に示すキックペダル33を用いて、人力により回転可能である。
【実施例１】
【００３７】
［制御回路］
図3は実施例1のACGスタータモータ70の制御回路を示す回路図である。
【００３８】
ACGスタータモータ70のステータ72に巻回された各相の巻線は、全波整流器および三相分の半導体スイッチング素子101-106を有するドライバ100のU端子、V端子、W端子に接続される。半導体スイッチング素子101-103のドレイン電極はドライバ100のP端子に接続され、半導体スイッチング素子104-106のソース電極はドライバ100のN端子に接続され、P端子とN端子の間には整流時のリプルを平滑するための電解キャパシタ107が接続される。なお、図3には、半導体スイッチング素子として電界効果型トランジスタ(FET)を使用する例を示し、半導体スイッチング素子(FET)101-106に並列に記載する寄生ダイオードが全波整流器として機能する。
【００３９】
ドライバ101のN端子およびバッテリ141の負極はグラウンドに接続される。
【００４０】
ドライバ100のP端子は、リレー108を介して、FET121のドレイン電極に接続され、FET121のソース電極はリレー152の一方の電極を介してバッテリ141の正極に接続される。また、P端子は、リレー108を介して、比較的静電容量が大きいキャパシタ(SC)140の一方の端子（正側端子）に接続される。SC140の他方の端子（負側端子）は、リレー151の一方に電極を介してFET123のドレイン電極に接続され、FET123のソース電極はドライバ100のC端子に接続される。リレー152の他方の電極とリレー151の他方の電極は相互接続されている。
【００４１】
図3にはC端子とV端子が接続された例を示す。詳細は後述するが、C端子はU端子またはW端子と接続されていても構わない。また、FET121と123は許容する充電電流または放電電流の流れに応じて通電状態または非通電状態に切り替えられるスイッチであり、以下では、これらFETを「充電スイッチ」と呼ぶ場合がある。
【００４２】
リレー108の用途は後述するが、図3に示すリレー108の開閉状態は、ECU（制御部）30によってリレー108がオンされている状態である。リレー108がオフになると開閉状態が切り替わり、ノーマルクローズ(NC)側の電極が閉状態になる。リレー108のNC側の電極の一方の端子はドライバ101のP端子に接続され、他方の端子はダイオード109、ヒューズ110、第一のスイッチ111を介して燃料噴射点火系に接続される。
【００４３】
また、バッテリ141の正極は、ダイオード130、ヒューズ110、第一のスイッチ111を介して燃料噴射点火系に接続されるとともに、リレー152、ヒューズ112、第二のスイッチ113を介して燃料噴射点火系以外の通常負荷に接続される。なお、制御部30も燃料噴射点火系の一部としてバッテリ141から電力が供給される。
【００４４】
制御部30は、各FETのゲート電極にスイッチング信号を供給し、各FETの導通と非導通を制御するとともに、各リレーの開閉状態を切り替える。また、上記では、SC140としてキャパシタを用いる例を説明したが、キャパシタの代わりに小型のバッテリを用いることもできる。
【００４５】
エンジンEの始動制御の詳細は特許文献1に記載されているので省略するが、制御部30は、スタータスイッチ114がオンされると、FET101-106にスイッチング信号を供給してバッテリ141の直流電力を三相交流電力に変換し、三相交流電力をACGスタータモータ70に供給してACGスタータモータ70を回転させ、エンジンEを始動する。始動制御において、制御部30は、リレー151と152をバッテリ141とSC140を直列接続するための切替手段に使用するが、詳細は後述する。
【００４６】
また、制御部30は、信号待ちなどの停車時に所定条件が満たされるとエンジンEを一旦停止するアイドルストップ制御（以下、IS制御）を行う。IS制御の開始条件は、例えば、図示しないIS制御許可スイッチがオン、図示しないシートスイッチにより乗員の着座が検出され、車速が所定値（例えば5km/h）以下、エンジン回転数が所定値（例えば2000rpm）以下、スロットル開度が所定値（例えば五度）未満の状態が所定時間継続した場合などである。制御部30は、IS制御によってエンジンEを停止した後、スロットル開度が所定値以上になると、エンジンEを再始動する。
【００４７】
以下では、エンジンEの始動時、アイドリング中および走行時、始動前およびアイドルストップ（以下、IS）中それぞれについて、ACGモータスタータ70、ドライバ101、SC140、バッテリ141の間を流れる電流に基づき制御回路の動作を説明する。
【００４８】
図4はエンジンEの始動時および再始動時に制御回路に流れる電流ISを示す図である。エンジンEの始動時、制御部30は、ドライバ101の各FET101-106にスイッチング信号を供給するほか、リレー151と152の開閉状態を図4に示す状態に切り替えて、バッテリ141とSC140を直列接続する。その結果、バッテリ141の電圧（以下、バッテリ電圧）VbにSC140に蓄電された電荷に応じた電圧Vcを加えた電圧Vb+Vcがドライバ100のP端子とN端子の間に印加される。
Vb + Vc = Vb + Q/C      …(1)
ここで、QはSC140に蓄電された電荷Q、
CはSC140の静電容量。
【００４９】
SC140に電荷Qを蓄電する方法は後述するが、バッテリ電圧Vbよりも電圧Vc分、高い電圧によってACGスタータモータ70を駆動することができる。従って、クランキング可能なトルクを発生させるための、ACGスタータモータ70の三相コイルのインダクタンス値を小さくすることができる。
【００５０】
図5はアイドリング中および走行時に制御回路に流れる電流を示す図である。
【００５１】
アイドリング中および走行時、制御部30は、ドライバ101の各FET101-106にスイッチング信号を供給して公知の充電制御を行うほか、図5に円で示すように充電スイッチのFET121を通電状態にする。その結果、ドライバ100からFET121とリレー152を介してバッテリ141に充電電流IBCが流れる。勿論、燃料噴射点火系および通常負荷には、ドライバ100からFET121を介して、および/または、バッテリ141からリレー152またはダイオード130を介して負荷電流ILが流れる。
【００５２】
図6はエンジン始動前およびIS中に制御回路に流れる電流を示す図である。なお、エンジン始動前およびIS中においても負荷電流ILが流れるが、図6においては負荷電流ILの記載を省略する。
【００５３】
エンジン始動前およびIS中、制御部30は、図6に実線の円で示すようにドライバ100のFET102、104および106を通電状態にして、ドライバ100のFET101、103および105、並びに、充電スイッチのFET123を非通電状態にする。これにより、図6に太実線で示す電流路が形成されてACGスタータモータ70の三相コイルに磁気エネルギが蓄積される（磁気エネルギ蓄積状態）。なお、当該電流路の往路は、バッテリ141の正極→リレー152→FET121の寄生ダイオード→P端子→FET102→V相巻線である。また、当該電流路の復路は、U相巻線→FET104の寄生ダイオード→N端子→バッテリ141の負極、および、W相巻線→FET106の寄生ダイオード→N端子→バッテリ141の負極である。
【００５４】
次に、制御部30は、図6に破線の円で示すように充電スイッチのFET123を通電状態にして、ドライバ100のFET101-106をすべて非通電状態にする。これにより、ACGスタータモータ70の三相コイルに蓄積された磁気エネルギによって三相コイルに電圧が誘起される。そして、図6に太破線で示す電流路が形成されてSC140に電荷Qが蓄電される（電荷蓄電状態）。なお、当該電流路の往路は、U相巻線→FET101の寄生ダイオード→P端子→SC140の正側端子、および、W相巻線→FET103の寄生ダイオード→P端子→SC140の正側端子である。また、当該電流路の復路は、SC140の負側端子→リレー151→FET123→V相巻線である。
【００５５】
制御部30は、第一の状態である磁気エネルギ蓄積状態と第二の状態である電荷蓄電状態を繰り返して、SC140にバッテリ電圧Vbよりも高い電圧Vcで電荷を蓄える。
【００５６】
図6には、ドライバ100のC端子とV端子を接続して、充電スイッチのFET123をV相巻線に接続する例を示したが、C端子の接続はこの例に限らない。つまり、SC140の負側端子と三相コイルの何れか一相のコイルの間に充電スイッチのFET123が接続されるように、C端子の接続を行えばよい。そして、磁気エネルギ蓄積状態において、バッテリ電圧Vbが三相コイルに直列に印加されるように、第一のスイッチング素子であるFET101-103のうち、FET123が接続された相のスイッチング素子を通電状態に切り替え、かつ、第二のスイッチング素子であるFET104-106のうち、FET123が接続されていない相のスイッチング素子を通電状態に切り替えればよい。
【００５７】
［リレーの用途］
前述したように、図3などに示すリレー108の開閉状態は、制御部30によってリレー108がオンされている場合の開閉状態を示し、リレー108がオフになると開閉状態が切り替わり、ノーマルクローズ(NC)側の電極が閉状態になる。
【００５８】
つまり、バッテリ電圧Vbが制御部30が動作しない電圧以下に低下すると、メインスイッチ113が閉状態になっても、制御部30によってリレー108はオンされない。その結果、ドライバ100のP端子は、リレー108のNC側の電極、ダイオード109、ヒューズ110、第一のスイッチ111を介して制御部30を含む燃料噴射点火系に接続された状態になる。
【００５９】
また、前述したように、ACGスタータモータ70のアウタロータ71は、図1に示すキックペダル33を用いて、人力により回転可能である。従って、バッテリ141の電力による制御部30の駆動が不可能な場合、リレー108は、ドライバ100からバッテリ141の間を非通電状態にし、ドライバ100と制御部30の間を通電状態にするバイパススイッチとして機能する。つまり、スタータスイッチ114をオンにしてもエンジンEが始動されない場合、乗員は、キックペダル33の操作によってACGスタータモータ70を回転させる。この操作によりACGスタータモータ70が交流電力を発電し、その交流電力をドライバ100が整流した直流電力が制御部30を含む燃料噴射点火系に供給されることで、エンジンEの始動が可能になる。
【００６０】
このように、エンジン始動前およびIS中、制御部30は、磁気エネルギ蓄積状態と電荷蓄電状態のスイッチングを繰り返して、SC140にバッテリ電圧Vbよりも高い電圧Vcで電荷Qを蓄電する。そして、エンジン始動時および再始動時、蓄電した電荷を利用するために、リレー151と152を図4に示した開閉状態にすることで、バッテリ電圧VbよりもSC140に蓄電された電圧Vc分、高い電圧によってACGスタータモータ70を駆動する。従って、駆動電圧が高い分、クランキング可能なトルクを発生させるための、ACGスタータモータ70の三相コイルのインダクタンス値を小さくすることができ、三相コイルのインダクタンス値が小さいACGスタータモータの使用が可能になる。
【実施例２】
【００６１】
以下、本発明にかかる実施例2のACGスタータモータ70の制御回路を説明する。なお、実施例2において、実施例1と略同様の構成については、同一符号を付して、その詳細説明を省略する。また、エンジンEの始動時および再始動時に制御回路に流れる電流IS、並びに、アイドリング中および走行時に制御回路に流れる電流は、実施例1と同様であり、それらの説明を省略する。
【００６２】
図7は実施例2のACGスタータモータ70の制御回路と、エンジン始動前およびIS中に制御回路に流れる電流を示す図である。なお、エンジン始動前およびIS中においても負荷電流ILが流れるが、図7においては負荷電流ILの記載を省略する。
【００６３】
エンジン始動前およびIS中、制御部30は、図7に実線の円で示すようにドライバ100のFET104および106を通電状態にして、ドライバ100のFET101-103および105を非通電状態にする。また、図7に一点鎖線の円で示すように充電スイッチのFET123を通電状態にする。これにより、図7に太実線で示す電流路が形成されてACGスタータモータ70の三相コイルに磁気エネルギが蓄積される（磁気エネルギ蓄積状態）。なお、当該電流路の往路は、バッテリ141の正極→リレー152→FET121の寄生ダイオード→SC140→リレー151→FET123→V相巻線である。また、当該電流路の復路は、U相巻線→FET104→N端子→バッテリ141の負極、および、W相巻線→FET106→N端子→バッテリ141の負極である。
【００６４】
次に、制御部30は、図7に一点鎖線の円で示すように充電スイッチのFET123の通電状態を維持して、ドライバ100のFET101-106をすべて非通電状態にする。これにより、ACGスタータモータ70の三相コイルに蓄積された磁気エネルギによって三相コイルに電圧が誘起される。そして、図7に太破線で示す電流路が形成されてSC140に電荷Qが蓄電される（電荷蓄電状態）。なお、当該電流路の往路は、U相巻線→FET101の寄生ダイオード→P端子→SC140の正側端子、および、W相巻線→FET103の寄生ダイオード→P端子→SC140の正側端子である。また、当該電流路の復路は、SC140の負側端子→リレー151→FET123→V相巻線である。
【００６５】
制御部30は、第一の状態である磁気エネルギ蓄積状態と第二の状態である電荷蓄電状態を繰り返して、SC140にバッテリ電圧Vbよりも高い電圧Vcで電荷を蓄える。
【００６６】
図7には、ドライバ100のC端子とV端子を接続して、充電スイッチのFET123をV相巻線に接続する例を示したが、C端子の接続はこの例に限らない。つまり、SC140の負側端子と三相コイルの何れか一相のコイルの間に充電スイッチのFET123が接続されるように、C端子の接続を行えばよい。そして、磁気エネルギ蓄積状態において、バッテリ電圧Vbが三相コイルに直列に印加されるように、第二のスイッチング素子であるFET104-106のうち、FET123が接続されていない相のスイッチング素子を通電状態に切り替え、かつ、第一のスイッチング素子であるFET101-103を非通電状態にすればよい。
【実施例３】
【００６７】
以下、本発明にかかる実施例3のACGスタータモータ70の制御回路を説明する。なお、実施例3において、実施例1、2と略同様の構成については、同一符号を付して、その詳細説明を省略する。
【００６８】
図8は実施例3のACGスタータモータ70の制御回路を示す回路図である。なお、ACGスタータモータ70、ドライバ100、リレー108などの構成や機能は実施例1と同様であり、それらの詳細説明を省略する。
【００６９】
ドライバ100のP端子は、リレー108を介して、FET121のドレイン電極に接続され、FET121のソース電極はリレー154の一方の電極を介してバッテリ141の正極に接続される。リレー154の他方の電極は、比較的静電容量が大きいキャパシタ(SC)140の一方の端子（正側端子）に接続される。SC140の他方の端子（負側端子）は、リレー153の一方の電極を介してグラウンドに接続される。
【００７０】
SC140の正側端子は、ダイオード124のカソード電極に接続され、ダイオード124のアノード電極はドライバ100のC端子に接続される。図8にはC端子とU端子が接続された例を示す。詳細は後述するが、C端子はV端子またはW端子と接続されていても構わない。なお、ダイオード124は、SC140に電荷を蓄えるための要素であり「充電ダイオード」と呼ぶ場合がある。また、FET121は、バッテリ141を充電する際に通電状態になる要素であり「充電スイッチ」と呼ぶ場合がある。
【００７１】
バッテリ141の正極は、ダイオード130、ヒューズ110、第一のスイッチ111を介して燃料噴射点火系に接続されるとともに、リレー152、ヒューズ112、第二のスイッチ113を介して燃料噴射点火系以外の通常負荷に接続される。なお、制御部30も燃料噴射点火系の一部としてバッテリ141から電力が供給される。
【００７２】
制御部30は、各FETのゲート電極にスイッチング信号を供給し、各FETの導通と非導通を制御するとともに、各リレーの開閉状態を切り替える。また、上記では、SC140としてキャパシタを用いる例を説明したが、キャパシタの代わりに小型のバッテリを用いることもできる。始動制御において、制御部30は、リレー153と154の開閉状態を切り替えて、バッテリ141とSC140を直列接続するが、詳細は後述する。
【００７３】
以下では、エンジンEの始動時、アイドリング中および走行時、始動前およびアイドルストップ（以下、IS）中それぞれについて、ACGモータスタータ70、ドライバ101、SC140、バッテリ141の間を流れる電流に基づき制御回路の動作を説明する。
【００７４】
図9はエンジンEの始動時および再始動時に制御回路に流れる電流ISを示す図である。エンジンEの始動時、制御部30は、ドライバ101の各FET101-106にスイッチング信号を供給するほか、リレー153と154の開閉状態を図9に示す状態に切り替えて、バッテリ141とSC140を直列接続する。その結果、バッテリ141の電圧（以下、バッテリ電圧）VbにSC140に蓄電された電荷に応じた電圧Vcを加えた電圧Vb+Vcがドライバ100のP端子とN端子の間に印加される。
【００７５】
SC140に電荷Qを蓄電する方法は後述するが、バッテリ電圧Vbよりも電圧Vc分、高い電圧によってACGスタータモータ70を駆動することができる。従って、クランキング可能なトルクを発生させるための、ACGスタータモータ70の三相コイルのインダクタンス値を小さくすることができる。
【００７６】
図10はアイドリング中および走行時に制御回路に流れる電流を示す図である。
【００７７】
アイドリング中および走行時、制御部30は、ドライバ101の各FET101-106にスイッチング信号を供給して公知の充電制御を行うほか、図10に円で示すように充電スイッチのFET121を通電状態にする。その結果、ドライバ100からFET121とリレー154を介してバッテリ141に充電電流IBCが流れる。勿論、燃料噴射点火系および通常負荷には、ドライバ100からFET121を介して、および/または、バッテリ141からリレー154またはダイオード130を介して負荷電流ILが流れる。
【００７８】
図11はエンジン始動前およびIS中に制御回路に流れる電流を示す図である。なお、エンジン始動前およびIS中においても負荷電流ILが流れるが、図11においては負荷電流ILの記載を省略する。
【００７９】
エンジン始動前およびIS中、制御部30は、図11に実線の円で示すようにドライバ100のFET102-104を通電状態にして、ドライバ100のFET101、103および106を非通電状態にする。これにより、図11に太実線で示す電流路が形成されてACGスタータモータ70の三相コイルに磁気エネルギが蓄積される（磁気エネルギ蓄積状態）。なお、当該電流路の往路は、バッテリ141の正極→リレー154→FET121の寄生ダイオード→P端子→FET102→V相巻線、および、バッテリ141の正極→リレー154→FET121の寄生ダイオード→P端子→FET103→W相巻線である。また、当該電流路の復路は、U相巻線→FET104→N端子→バッテリ141の負極である。
【００８０】
次に、制御部30は、ドライバ100のFET101-106をすべて非通電状態にする。これにより、ACGスタータモータ70の三相コイルに蓄積された磁気エネルギによって三相コイルに電圧が誘起される。そして、図11に太破線で示す電流路が形成されてSC140に電荷Qが蓄電される（電荷蓄電状態）。なお、当該電流路の往路は、U相巻線→充電ダイオード124→SC140の正側端子である。また、当該電流路の復路は、SC140の負側端子→リレー153→FET105の寄生ダイオード→V相巻線、および、SC140の負側端子→リレー153→FET106の寄生ダイオード→W相巻線である。
【００８１】
制御部30は、第一の状態である磁気エネルギ蓄積状態と第二の状態である電荷蓄電状態を繰り返して、SC140にバッテリ電圧Vbよりも高い電圧Vcで電荷を蓄える。
【００８２】
図11には、ドライバ100のC端子とU端子を接続して、充電ダイオード124をU相巻線に接続する例を示したが、C端子の接続はこの例に限らない。つまり、SC140の正側端子と三相コイルの何れか一相のコイルの間に充電ダイオード124が接続されるように、C端子の接続を行えばよい。そして、磁気エネルギ蓄積状態において、バッテリ電圧Vbが三相コイルに直列に印加されるように、第一のスイッチング素子であるFET101-103のうち、充電ダイオード124が接続されていない相のスイッチング素子を通電状態に切り替え、かつ、第二のスイッチング素子であるFET104-106のうち、充電ダイオード124が接続された相のスイッチング素子を通電状態に切り替えればよい。
【実施例４】
【００８３】
以下、本発明にかかる実施例4のACGスタータモータ70の制御回路を説明する。なお、実施例4において、実施例1-3と略同様の構成については、同一符号を付して、その詳細説明を省略する。また、エンジンEの始動時および再始動時に制御回路に流れる電流IS、並びに、アイドリング中および走行時に制御回路に流れる電流は、実施例3と同様であり、それらの説明を省略する。
【００８４】
図12は実施例4のACGスタータモータ70の制御回路と、エンジン始動前およびIS中に制御回路に流れる電流を示す図である。なお、エンジン始動前およびIS中においても負荷電流ILが流れるが、図12においては負荷電流ILの記載を省略する。
【００８５】
エンジン始動前およびIS中、制御部30は、図11に実線の円で示すようにドライバ100のFET102と103を通電状態にして、ドライバ100のFET101と103-106を非通電状態にする。これにより、図12に太実線で示す電流路が形成されてACGスタータモータ70の三相コイルに磁気エネルギが蓄積され、SC140に電荷Qが蓄電される（磁気エネルギ・電荷蓄積状態）。なお、当該電流路の往路は、バッテリ141の正極→リレー154→FET121の寄生ダイオード→P端子→FET102→V相巻線、および、バッテリ141の正極→リレー154→FET121の寄生ダイオード→P端子→FET103→W相巻線である。また、当該電流路の復路は、U相巻線→充電ダイオード124→SC140→リレー151→バッテリ141の負極である。
【００８６】
次に、制御部30は、ドライバ100のFET101-106をすべて非通電状態にする。これにより、ACGスタータモータ70の三相コイルに蓄積された磁気エネルギによって三相コイルに電圧が誘起される。そして、図12に太破線で示す電流路が形成されてSC140に電荷Qが蓄電される（電荷蓄電状態）。なお、当該電流路の往路は、U相巻線→充電ダイオード124→SC140の正側端子である。また、当該電流路の復路は、SC140の負側端子→リレー153→FET105の寄生ダイオード→V相巻線、および、SC140の負側端子→リレー153→FET106の寄生ダイオード→W相巻線である。
【００８７】
図12の右端のグラフに示すように、制御部30は、第一の状態である磁気エネルギ・電荷蓄積状態と第二の状態である電荷蓄電状態を繰り返すと、SC140に充電電流Icが流れ、SC140の端子間の電圧Vcが漸次増加して、SC140にバッテリ電圧Vbよりも高い電圧Vcで電荷を蓄えることができる。
【００８８】
図12には、ドライバ100のC端子とU端子を接続して、充電ダイオード124をU相巻線に接続する例を示したが、C端子の接続はこの例に限らない。つまり、SC140の正側端子と三相コイルの何れか一相のコイルの間に充電ダイオード124が接続されるように、C端子の接続を行えばよい。そして、磁気エネルギ・電荷蓄積状態において、バッテリ電圧Vbが三相コイルに直列に印加されるように、第一のスイッチング素子であるFET101-103のうち、充電ダイオード124が接続されていない相のスイッチング素子を通電状態に切り替え、かつ、第二のスイッチング素子であるFET104-106を非通電状態にすればよい。
【００８９】
上述した各実施例によれば、ACGスタータモータ70の三相コイルを活用して、高電圧で始動制御を行うことができるので、低コストでクランキング時に高いトルクを発生させることができる。また、三相コイルを直列に使用することで高いインダクタンス値によって昇圧することができ、磁気エネルギ蓄積状態と電荷蓄電状態を切り替えるスピードを比較的低めに設定して昇圧に伴うスイッチング損失を軽減することができる。
【００９０】
［変形例］
上記の実施例においては、エンジンEの始動時および再始動時に、リレー153によってバッテリ141とSC140を直列接続して、バッテリ電圧Vbよりも高い電圧でACGスタータモータ70を駆動する例を説明した。しかし、エンジンEの始動時および再始動時のACGスタータモータ70の駆動に必要な量の電荷QをSC140に蓄積することができれば、リレー153を省略することができる。つまり、SC140の負側端子をグラウンドに固定して、エンジンEの始動時および再始動時、リレー154によってSC140の正側端子とドライバ100のP端子を接続し、SC140に蓄えた電力によってACGスタータモータ70を駆動すればよい。
【００９１】
また、ACGスタータモータ70のアウタロータ71の位置を検出する検出部を備えれば、前記検出部によって三相コイルのうちアウタロータ71が最も回転し難いコイルを選択することができる。そして、選択したコイルに、磁気エネルギ蓄積状態におけるバッテリ電圧Vbの印加を行う。
【００９２】
あるいは、検出したロータ位置に基づき、三相コイルのうち最も磁束が高くなるコイルを選択して、選択したコイルに、磁気エネルギ蓄積状態におけるバッテリ電圧Vbの印加を行う。
【００９３】
また、制御部30は、SC140の蓄電された電圧Vcを測定し、電圧Vcが所定電圧まではSC140にバッテリ電圧Vbにより電荷を蓄える電流制限充電モードで動作し、電圧Vcが所定電圧を超えるとSC140にバッテリ電圧Vbよりも高い電圧で電荷を蓄える高電圧充電モードで動作することもできる。
【００９４】
さらには、磁気エネルギは、三相すべてのコイルに蓄積されるのではなく、何れか二相のコイルに選択的に蓄積されてもよい。三相のコイルすべてに通電するよりも、二相のコイルに通電する方がインダクタンス値をより高くすることができる。すなわち、バッテリ141の電圧が三相コイルに直列に印加される状態とは、磁気エネルギが三相のコイルすべてに蓄積される状態だけではなく、何れか二相のコイルに蓄積される状態を含む。
【符号の説明】
【００９５】
30 … 制御部、70 … ACGスタータモータ、100 … ドライバ、140 … キャパシタ、141 … バッテリ
【図１】
2015192499.tif 000003
【図２】
2015192499.tif 000004
【図３】
2015192499.tif 000005
【図４】
2015192499.tif 000006
【図５】
2015192499.tif 000007
【図６】
2015192499.tif 000008
【図７】
2015192499.tif 000009
【図８】
2015192499.tif 000010
【図９】
2015192499.tif 000011
【図１０】
2015192499.tif 000012
【図１１】
2015192499.tif 000013
【図１２】
2015192499.tif 000014